(57)【要約】【課題】発光素子ランプのソケット部への誤接続を防止し得る照明器具を提供する。【解決手段】本発明は、商用交流電源を直流出力に変換する変換回路を有する点灯装置９と、この点灯装置９の出力端に接続された正極側給電端子３１ｄ及び負極側給電端子３１ｅを有するソケット部３１とを備えた照明器具本体１と；少なくとも一部に透光性部を有する本体４と、この本体４内に配設され前記透光性部から光を外部に放射する発光素子５２と、前記本体４に設けられ、前記照明器具本体１のソケット部３１における正極側給電端子３１ｄ及び負極側給電端子３１ｅに接続される正極側受電端子６１ｂ及び負極側受電端子６１ｃとを備えた発光素子ランプ２と；この発光素子ランプの正極側受電端子６１ｂ及び負極側受電端子６１ｃが前記ソケット部３１における異極側の給電端子３１ｄ、３１ｅに接続されるのを防止する誤接続防止手段と；を備える照明器具である。【選択図】図７
2012138272.tif 000002
【特許請求の範囲】
【請求項１】
商用交流電源を直流出力に変換する変換回路を有する点灯装置と、この点灯装置の出力端に接続された正極側給電端子及び負極側給電端子を有するソケット部とを備えた照明器具本体と；
少なくとも一部に透光性部を有する本体と、この本体内に配設され前記透光性部から光を外部に放射する発光素子と、前記本体に設けられ、前記照明器具本体のソケット部における正極側給電端子及び負極側給電端子に接続される正極側受電端子及び負極側受電端子とを備えた発光素子ランプと；
この発光素子ランプの正極側受電端子及び負極側受電端子が前記ソケット部における異極側の給電端子に接続されるのを防止する誤接続防止手段と；
を具備することを特徴とする照明器具。
【請求項２】
前記誤接続防止手段は、発光素子ランプの正極側受電端子と負極側受電端子との形態を異ならせて構成されていることを特徴とする請求項１に記載の照明器具。
【請求項３】
前記ソケット部には、正極側受電端子及び負極側受電端子が挿入される挿入溝が形成された回転子が設けられており、前記誤接続防止手段は、正極側受電端子及び負極側受電端子が挿入溝に挿入される方向が一方向に規制され、かつ回転する方向が一方向に規制されて構成されていることを特徴とする請求項１又は請求項２に記載の照明器具。
【発明の詳細な説明】
【技術分野】
【０００１】
本発明の実施形態は、ＬＥＤ等の発光素子を用いた発光素子ランプを適用する照明器具に関する。
【背景技術】
【０００２】
近時、ＬＥＤの高出力化、高効率化及び普及化に伴い、光源としてＬＥＤを用いた屋内又は屋外で使用される照明器具が開発されている。ＬＥＤは、従来の蛍光灯などの光源に比べて省エネ、長寿命が実現でき、光源又は照明器具の交換頻度を少なくすることができ、メンテナンスの面で有利となる。したがって、この点において光源として蛍光灯などに替わりＬＥＤを用いるのが望ましい。
【０００３】
ところで、例えば、照明器具のソケット部に、ＬＥＤを光源とする直管形ＬＥＤ照明装置（直管形ＬＥＤランプ）の両端部に設けられた受電端子を接続し取付けられるようにしたものが提案されている。この場合、ＬＥＤに直流電力を供給するため、ＬＥＤランプに商用交流電源を直流出力に変換するダイオードブリッジ等の変換回路が設けられる。
したがって、ＬＥＤランプ内に変換回路を配設するスペースが必要となり、ＬＥＤランプの大形化やＬＥＤランプ内の温度上昇を招来するという問題が生じる。
このため、変換回路を照明器具本体側に設けて、これらの問題を解決することが考えられる。
【先行技術文献】
【特許文献】
【０００４】
【特許文献１】特開２００１−３５１４０２号公報
【発明の概要】
【発明が解決しようとする課題】
【０００５】
しかしながら、変換回路を照明器具本体側に設けた場合には、ソケット部の給電端子及びＬＥＤランプの受電端子が極性を有する構成となるため、ＬＥＤランプのソケット部への異極性同士が接続される誤接続を防止して、ＬＥＤに逆方向電圧が印加されてＬＥＤが破損されるのを回避する必要がある。
本発明は、上記課題に鑑みなされたもので、発光素子ランプのソケット部への誤接続を防止し得る照明器具を提供することを目的とする。
【課題を解決するための手段】
【０００６】
本発明の実施形態による照明器具は、商用交流電源を直流出力に変換する変換回路を有する点灯装置と、この点灯装置の出力端に接続された正極側給電端子及び負極側給電端子を有するソケット部とを備えた照明器具本体を有している。
【０００７】
また、少なくとも一部に透光性部を有する本体と、この本体内に配設され前記透光性部から光を外部に放射する発光素子と、前記本体に設けられ、前記照明器具本体のソケット部における正極側給電端子及び負極側給電端子に接続される正極側受電端子及び負極側受電端子とを備えた発光素子ランプを有している。
【０００８】
さらに、発光素子ランプの正極側受電端子及び負極側受電端子が前記ソケット部における異極側の給電端子に接続されるのを防止する誤接続防止手段を備えている。
【発明の効果】
【０００９】
本発明の実施形態によれば、発光素子ランプのソケット部への誤接続を防止し得る照明器具を提供することができる。
【図面の簡単な説明】
【００１０】
【図１】本発明の第１の実施形態に係る照明器具を示す斜視図である。
【図２】同照明器具を示す側面図である。
【図３】同直管形発光素子ランプの一部を示す斜視図である。
【図４】同じく、直管形発光素子ランプの一部を示す斜視図である。
【図５】同直管形発光素子ランプを示す縦断面図である。
【図６】図５におけるＹ−Ｙ線に沿って示す断面図である。
【図７】同ソケット部を示し、（ａ）は正面図、（ｂ）は側面図である。
【図８】同ソケット部におけるケース本体を背面側から見て示す斜視図である。
【図９】同ソケット部における背面蓋及び回転子を示す斜視図である。
【図１０】同ソケット部における回転子の動作を模式的に示す説明図である。
【図１１】同じく、ソケット部における回転子の動作を模式的に示す説明図である。
【図１２】同照明器具を示す結線図である。
【図１３】本発明の第２の実施形態に係る照明器具における直管形発光素子ランプの一部を示す斜視図である。
【発明を実施するための形態】
【００１１】
以下、本発明の第１の実施形態に係る照明器具について図１乃至図１２を参照して説明する。図１、図２及び図１２は、照明器具を示し、図３乃至図６は、直管形発光素子ランプを示し、図７乃至図９は、ソケット部を示している。また、図１１及び図１２は、ソケット部における回転子の動作を示している。なお、各図において同一部分には同一符号を付し重複した説明は省略する。
【００１２】
図１及び図２において、天井面へ設置される照明器具が示されており、この照明器具は、冷間圧延鋼板等によって形成された横長の略直方体形状の器具本体１と、この器具本体１に取付けられた直管形発光素子ランプ２とを備えている。器具本体１は、基本的には既存の構成をなしており、長手方向の両端部に取付けられたソケット部３に直管形発光素子ランプ２が装着されるようになっている。
【００１３】
図３乃至図６に示すように、直管形発光素子ランプ２は、本実施形態では、既存の直管形蛍光灯と同様な寸法及び外形を有している。具体的には、４０Ｗの直管形蛍光灯と同様な寸法及び外形を有している。
直管形発光素子ランプ２は、細長で外観が略円筒状の本体４、光源部５、口金６を備えている。
【００１４】
本体４は、内部空間を有し、略円筒状に形成され、透光性の合成樹脂材料から押出成形によって作られている。本体４の内部における略中央部には、長手方向に沿って長尺で長方形状の放熱部材４１が配設されている。この放熱部材４１は、熱伝導性が良好なアルミニウム材料等から形成されている。
【００１５】
なお、本体４の成形方法は、格別限定されるものではない。また、例えば、本体４を半円筒状の２つの部材を結合して構成するようにしてもよい。さらに、内部空間が形成できれば、断面が四角形状であってもよく、形状が限定されるものではない。
【００１６】
光源部５は、基板５１と、この基板５１に実装された発光素子５２とを備えている。基板５１は略長方形状に形成されており、具体的には、放熱部材４１に４枚の基板５１がその裏面側が密着するように長手方向に並べられて取付けられている。
【００１７】
基板５１は、絶縁材であるガラスエポキシ樹脂の平板からなり、表面側には銅箔で形成された配線パターンが施されている。また、適宜レジスト層が施されるようになっている。なお、基板５１の材料は、絶縁材とする場合には、セラミックス材料又は合成樹脂材料を適用できる。さらに、金属製とする場合は、アルミニウム等の熱伝導性が良好で放熱性に優れた材料を適用するのが好ましい。
【００１８】
発光素子５２は、ＬＥＤであり、表面実装型のＬＥＤパッケージである。概略的にはセラミックスで形成された本体に配設されたＬＥＤチップと、このＬＥＤチップを封止するエポキシ系樹脂やシリコーン樹脂等のモールド用の透光性樹脂とから構成されている。
【００１９】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２０】
なお、ＬＥＤは、ＬＥＤチップを直接基板５１に実装するようにしてもよく、また、砲弾型のＬＥＤを実装するようにしてもよく、実装方式や形式は、格別限定されるものではない。ここで、ＬＥＤは、１枚の基板５１に４個ずつ長手方向に沿って直線状に実装されている。
【００２１】
口金６は、本体４における長手方向の両端部に設けられていて、器具本体１のソケット部３に取付け可能に構成されている。図３に示すように、一端側に設けられた口金６１は、略短円筒状の合成樹脂で形成された絶縁性を有するベース６１ａと、正極側受電端子６１ｂと、負極側受電端子６１ｃとから構成されている。
【００２２】
正極側受電端子６１ｂ及び負極側受電端子６１ｃは、ベース６１ａから軸方向に突出した金属製の円筒のピン形状であり、正極側受電端子６１ｂは、負極側受電端子６１ｃに対し、大径であり、太く形成されている。つまり、正極側受電端子６１ｂと負極側受電端子６１ｃとは、その形態が異なって形成されている。
【００２３】
一方、図４に示すように、他端側に設けられた口金６２は、略短円筒状の合成樹脂で形成された絶縁性を有するベース６２ａと、アース接続端子６２ｂとから構成されている。アース接続端子６２ｂは、ベース６２ａから軸方向に突出した金属製の円筒のピン形状であり、先端部には、小判状の大径部が形成されている。
【００２４】
図１２を併せて参照して分かるように、正極側受電端子６１ｂ及び負極側受電端子６１ｃは、基板５１の配線パターンに接続されており、ソケット部３を介して発光素子５２に電力を供給するようになっている。したがって、正極側受電端子６１ｂは、発光素子５２のアノード側に接続されており、負極側受電端子６１ｃは、発光素子５２のカソード側に接続されている。
【００２５】
他端側のアース接続端子６２ｂは、アース接続されるようになっており、例えば、図５に示すように、アース接続端子６２ｂは、接続線８１によって金属製の放熱部材４１に接続されている。具体的には、接続線８１の一端がアース接続端子６２ｂに接続され、他端が放熱部材４１の裏面側にねじ等の固定手段によって固定され接続されている。
【００２６】
次に、図１及び図２に示すように、器具本体１は、下面側が開放した開放部を有する箱状に形成されており、両端部に取付けられた一対のソケット部３と、器具本体１内に収容された点灯装置９及び端子台１１と、前記下面側の開放部を覆うように取付けられた反射板１２とを備えている。
【００２７】
ソケット部３は、発光素子ランプ２の正極側受電端子６１ｂ及び負極側受電端子６１ｃが接続される一方のソケット部３１（図２上、左側）と、アース接続端子６２ｂが接続される他方のソケット部３２（図２上、右側）とから構成されている。
【００２８】
図7乃至図９に示すように、一方のソケット部３１は、例えば、Ｇ１３タイプの口金と基本形が類似した構成となっており、ケース本体３１ａと、背面蓋３１ｂと、回転子３１ｃと、正極側給電端子３１ｄと、負極側給電端子３１ｅとを備えている。ケース本体３１ａは、ＰＢＴ樹脂等からなり、背面側が開放した略山形に形成されていて、円形状の開口部３１ａ1を有している。このケース本体３１ａの背面側には、図８に示すように、一対の弾性を有する給電端子、すなわち、後述する点灯装置９の正極側出力端に接続される正極側給電端子３１ｄと、負極側出力端に接続される負極側給電端子３１ｅとが取付けられている。
【００２９】
背面蓋３１ｂは、図９に示すように、ケース本体３１ａの背面側を閉塞するように取付けられるもので、回転軸部３１ｂ1と、この回転軸部３１ｂ1の周囲に形成されたガイドサークル３１ｂ2を一体的に有している。また、ガイドサークル３１ｂ2には、略９０度の間隔を空けて内周側３箇所に係合凹部Ｃが形成されている。
【００３０】
回転子３１ｃは、略円筒状をなしていて、外周の一端から他端に亘って先細り形状の挿入溝３１ｃ1が形成されている。この挿入溝３１ｃ1には、詳細を後述するように発光素子ランプ２の正極側受電端子６１ｂ及び負極側受電端子６１ｃが一端側（溝幅の広い方）から導入されるようになっている。また、回転子３１ｃの図示上、底面側外周の２箇所には、略９０度の間隔を空けて係合突起Ｐが形成されている。
【００３１】
このように構成された回転子３１ｃは、その円筒状の内周側が回転軸部３１ｂ1の外周側に嵌合して回転可能に取付けられる。また、回転子３１ｃの係合突起Ｐがガイドサークル３１ｂ2の係合凹部Ｃに係合し、９０度（１／４回転）の範囲で節度的に、かつ一方向に回転できるようになっている。
【００３２】
回転子３１ｃが取付けられた背面蓋３１ｂをケース本体３１ａの背面側から取付けて組み合わせることにより、回転子３１ｃがケース本体３１ａの開口部３１ａ1から露出し、回転子３１ｃに形成された挿入溝３１ｃ1とケース本体３１ａに形成された挿入溝３１ａ2とで連続した挿入溝が形成される（図７参照）。この挿入溝は、発光素子ランプ２の軸方向と直交する方向に形成されるようになる。なお、正極側給電端子３１ｄ及び負極側給電端子３１ｅは、発光素子ランプ２の光源部５に電力を供給するため、電源リード線３３が接続されている（図２参照）。
【００３３】
再び図２を参照して示すように、他方のソケット部３２は、詳細な図示は省略するが、ソケット部３１と同様な外観を有していて、発光素子ランプ２のアース接続端子６２ｂが挿入でき、このアース接続端子６２ｂが接続される端子を備えている。また、この端子にはアース線８が器具本体１にねじ止め等によって接続されている。器具本体１は、端子台１１のアース端子と電気的に接続されているため、これによって接地がなされるようになっている。
【００３４】
点灯装置９は、商用交流電源ＡＣに接続されており、この交流電源ＡＣを受けて直流出力を生成する変換回路を備えている。点灯装置９は、例えば、ダイオードブリッジ回路の出力端子間に平滑コンデンサを接続し、この平滑コンデンサに直流電圧変換回路及び電流検出手段を接続して構成されている。したがって、この点灯装置９の出力端は、極性を有しており、出力端から導出されたリード線９１は、コネクタ９２を介して電源リード線３３からソケット部３の正極側給電端子３１ｄ及び負極側給電端子３１ｅに極性を一致させて接続されている。
端子台１１には、図示しない電源線やアース線が接続されるようになっている。また、端子台１１には、点灯装置９がリード線によって接続されている。
【００３５】
反射板１２は、反射面を有し、器具本体１の下面側の開放部を覆うように取付けられている。また、長手方向の両端部には、ソケット部３が嵌合する略長方形の切欠き部が形成されている。
【００３６】
このように構成される照明器具について、器具本体１に前記直管形発光素子ランプ２を装着する方法、すなわち、直管形発光素子ランプ２の口金６をソケット部３に装着する方法を説明する。
【００３７】
図７に示すように、先細り形状に形成された挿入溝３１ａ2、３１ｃ1に対して、口金６における細く形成された方の負極側受電端子６１ｃが先行して導入されるように、正極側受電端子６１ｂ及び負極側受電端子６１ｃを矢印ａ方向に挿入する。その後、矢印ｂ方向に回転させることにより各受電端子６１ｂ、６１ｃがソケット部３の正極側給電端子３１ｄ及び負極側給電端子３１ｅに接続される。なお、正極側受電端子６１ｂ及び負極側受電端子６１ｃが挿入溝３１ａ2、３１ｃ1に挿入された状態を図示上、破線で示している。
【００３８】
この場合、挿入溝３１ａ2、３１ｃ1は、先細り形状に形成されているので、仮に、方向を反対にして太く形成されている正極側受電端子６１ｂを先行させて、挿入溝３１ａ2、３１ｃ1に導入するようにすると、正極側受電端子６１ｂが挿入できない状態となる。したがって、口金６における正極側受電端子６１ｂ及び負極側受電端子６１ｃのソケット部３１への挿入方向、つまり、挿入溝３１ａ2、３１ｃ1への挿入方向が一方向に規制されていることとなる。
【００３９】
また、口金６を矢印ｂ方向に回転させ正極側受電端子６１ｂ及び負極側受電端子６１ｃをソケット部３の正極側給電端子３１ｄ及び負極側給電端子３１ｅに極性を一致させて接続するが、この場合、回転方向が一方向に規制され、所定の角度、具体的には、約９０度の回転範囲に規制されている。
これを図１０及び図１１を参照して説明する。図１０及び図１１は、ソケット部３１における回転子３１ｃの動作を模式的に平面で示す説明図である。
【００４０】
図１０は、回転子３１ｃが原位置にある状態を示している。回転子３１ｃには、第１の係合突起Ｐ1及び第２の係合突起Ｐ2が略９０度の間隔を空けて形成されている。また、ガイドサークル３１ｂ2には、第１の係合凹部Ｃ1、第２の係合凹部Ｃ2及び第３の係合凹部Ｃ3が略９０度の間隔を空けて形成されている。
【００４１】
そして、第１の係合突起Ｐ1が第１の係合凹部Ｃ1に嵌合し、第２の係合突起Ｐ2が第２の係合凹部Ｃ2に嵌合している。この状態で、前記正極側受電端子６１ｂ及び負極側受電端子６１ｃを挿入溝３１ａ2、３１ｃ1に挿入し、図示矢印方向に回転することにより、回転子３１ｃは、約９０度節度的に回転し、図１１に示す状態となる。この状態では、第１の係合突起Ｐ1が第２の係合凹部Ｃ2に嵌合し、第２の係合突起Ｐ2が第３の係合凹部Ｃ3に嵌合するようになる。
【００４２】
このように図１０に示す原位置から図１１に示す約９０度回転する過程において、第１の係合突起Ｐ1及び第２の係合突起Ｐ2は、第１の係合凹部Ｃ1及び第２の係合凹部Ｃ2から、相互の弾性変形を伴って嵌合が解かれ回転され、さらに、それぞれ次の第２の係合凹部Ｃ2及び第３の係合凹部Ｃ3に節度的に嵌合する。
【００４３】
このとき、図１０に示すように、第１の係合凹部Ｃ1の一端側（図示上、右側）には、ストッパ突起ＳＰが形成されているため、回転子３１ｃは、図示上、反時計方向には回転することができず、回転方向が図示矢印方向に示す時計方向の一方向に規制される。
【００４４】
また、図１１に示す発光素子ランプ２がソケット部３に装着された状態から発光素子ランプ２を取外す場合には、回転子３１ｃは、反時計方向に回転され原位置に復帰される（図１０参照）。この場合、第３の係合凹部Ｃ3の一端側（図示上、右側）には、ストッパ突起ＳＰが形成されているため、回転子３１ｃは、図示上、時計方向には回転することができないようになっている。
なお、これらの動作と同時に、ソケット部３２にはアース接続端子６２ｂが挿入され接続される。
【００４５】
以上のように太さ（径）の異ならせた正極側受電端子６１ｂ及び負極側受電端子６１ｃと、先細り形状に形成された挿入溝３１ａ2、３１ｃ1とによって、正極側受電端子６１ｂ及び負極側受電端子６１ｃの挿入方向が一方向に規制され、回転子３１ｃの係合突起Ｐと、ガイドサークル３１ｂ2のストッパ突起ＳＰとによって、正極側受電端子６１ｂ及び負極側受電端子６１ｃの回転方向が一方向に規制されるようになる。
【００４６】
したがって、発光素子ランプ２における正極側受電端子６１ｂがソケット部３１の正極側給電端子３１ｄに接続され、負極側受電端子６１ｃが負極側給電端子３１ｅに接続され、極性が一致して接続されて、正極側受電端子６１ｂ及び負極側受電端子６１ｃがソケット部３１における極性の異なる給電端子３１ｄ、３１ｅに接続されることが防止される。
【００４７】
つまり、本実施形態においては、正極側受電端子６１ｂ及び負極側受電端子６１ｃの挿入方向が一方向に規制され、回転方向が一方向に規制される機能をもたらす構成によって誤接続防止手段が構成されるようになっている。
【００４８】
次に、図１２の結線図に示すように、点灯装置９は、商用交流電源ＡＣに接続され、点灯装置９からの直流出力が発光素子５２に供給されるようになっている。この場合、点灯装置９の正極側の出力端は、正極側給電端子３１ｄ、正極側受電端子６１ｂから発光素子５２のアノード側に接続され、負極側の出力端は、負極側給電端子３１ｅ、負極側受電端子６１ｃから発光素子５２のカソード側に接続されるようになる。一方、アース接続端子６２ｂは、ソケット部３２の端子を介してアース接続されるようになる。
【００４９】
上記のように構成された照明器具において、点灯装置９に電力が供給されると、リード線９１、電源リード線３３、ソケット部３１、口金６から基板５１を介して発光素子５２に通電され、各発光素子５２が点灯する。発光素子５２から出射された光は、透光性の本体４を透過して下方に放射され所定範囲が照射される。
【００５０】
以上のように本実施形態によれば、商用交流電源を直流出力に変換する変換回路を照明器具本体１側に設けたので、発光素子ランプ２の大形化や温度上昇を抑制することが可能であり、また、発光素子ランプ２の正極側受電端子６１ｂ及び負極側受電端子６１ｃの誤接続を防止でき、発光素子５２が破損されるのを回避することができる照明器具を提供することが可能となる。
【００５１】
次に、本発明の第２の実施形態に係る照明器具について図１３を参照して説明する。なお、第１の実施形態と同一又は相当部分には同一符号を付し重複した説明は省略する。図１３は、直管形発光素子ランプ２の一部を示している。
【００５２】
本実施形態では、口金６１のベース６１ａに軸方向に略三角形状に突出する位置規制突起６１ｄを形成したものである。正極側受電端子６１ｂ及び負極側受電端子６１ｃは、略同じ径を有し同じ太さに形成されて同様な形態をなしている。
また、図示は省略するがソケット部３１側には、前記位置規制突起６１ｄが挿入される挿入溝が形成されている。
【００５３】
このような構成によれば、発光素子ランプ２をソケット部３に装着するに際し、位置規制突起６１ｄとソケット部３１側の挿入溝とにより、口金６における正極側受電端子６１ｂ及び負極側受電端子６１ｃのソケット部３への挿入方向を一方向に規制することが可能となり、第１の実施形態と同様に正極側受電端子６１ｂ及び負極側受電端子６１ｃの誤接続を防止できる。
【００５４】
なお、本発明は、上記実施形態の構成に限定されることなく、発明の要旨を逸脱しない範囲で種々の変形が可能である。例えば、誤接続を防止できれば、発光素子ランプの正極側受電端子及び負極側受電端子は、発光素子ランプの両端に設けるようにしてもよい。この場合、発光素子ランプの両端から電力が供給されるようになる。
また、正極側受電端子及び負極側受電端子の形状や配置構成等の形態を種々変えて誤接続を防止できるようにしてもよい。
さらにまた、正極側受電端子及び負極側受電端子をソケット部に単に差し込むことにより接続する構成を採用することもできる。
【符号の説明】
【００５５】
１・・・照明器具本体、２・・・直管形発光素子ランプ、３・・・ソケット部、
４・・・本体、６・・・口金、９・・・点灯装置、３１ｃ・・・回転子、
３１ｃ1・・・挿入溝、３１ｄ・・・正極側給電端子、３１ｅ・・・負極側給電端子、
５２・・・発光素子（ＬＥＤ）、６１ｂ・・・正極側受電端子、
６１ｃ・・・負極側受電端子
【図１】
2012138272.tif 000003
【図２】
2012138272.tif 000004
【図３】
2012138272.tif 000005
【図４】
2012138272.tif 000006
【図５】
2012138272.tif 000007
【図６】
2012138272.tif 000008
【図７】
2012138272.tif 000009
【図８】
2012138272.tif 000010
【図９】
2012138272.tif 000011
【図１０】
2012138272.tif 000012
【図１１】
2012138272.tif 000013
【図１２】
2012138272.tif 000014
【図１３】
2012138272.tif 000015